(57)【要約】【課題】使用上の利便性がよい仕切体を提供する。【解決手段】底板部１０と、該底板部１０の両側に位置する一対の側板部１１，１５と、これら側板部１１，１５の上端間に位置する天板部１２とを備え、該天板部１２に複数の位置決め孔２２を設けた仕切体であって、隣接する位置決め孔２２，２２間に位置するように、各板部に連続して延びる破断部２６を設けるとともに、一方の側板部１１に、破断部２６に沿って延びる連続部（折曲線３１）を有する切起構造の差込部３０を、破断部２６を中心として略対称に位置するように一対設けた構成とする。【選択図】図１
2009107640.tif 000002
【特許請求の範囲】
【請求項１】
底板部と、該底板部の両側に位置する一対の側板部と、これら側板部の上端間に位置する天板部とを備え、該天板部に複数の位置決め孔を設けた仕切体であって、
隣接する前記位置決め孔間に位置するように、前記各板部に連続して延びる破断部を設けるとともに、
一方の側板部に、前記破断部に沿って延びる連続部を有する切起構造の差込部を、前記破断部を中心として略対称に位置するように一対設けたことを特徴とする仕切体。
【発明の詳細な説明】
【技術分野】
【０００１】
本発明は、複数の商品を位置決めして収容する仕切体に関するものである。
【背景技術】
【０００２】
本発明の仕切体に関連する先行技術文献情報としては次のものがある。
【０００３】
【特許文献１】実用新案登録第３０８３９６４号公報
【特許文献２】実開昭６０−１３１５４６号公報
【０００４】
この特許文献１には、底板部、該底板部の両側縁に連設した一対の側板部と、これら側板部間にかけて延びる天板部と、底板部および天板部の中間に位置する中間板部とを備え、前記天板部と中間板部に上下方向に一致する位置決め孔を設けた段ボール製トレイ（仕切体）が記載されている。
【０００５】
この仕切体は、複数の商品を位置決めした状態で仕切ることが可能であるため、この収容状態で別体の外箱に収容させたり、表面を樹脂シートでラミネートさせたりして搬送することができる。また、店頭では、商品を仕切体に収容した状態で、段積みして販売することが可能であるため、販売促進効果を得ることができる。
【０００６】
また、特許文献２には、複数の商品を収容する包装箱が記載されている。そして、この包装箱では、隣接する商品間に位置するように切取線を設け、包装箱を分割できるように構成している。また、この包装箱では、分割作業性を向上するため、各板部の稜部に内向きに窪む操作部を設けた構成としている。
【０００７】
しかしながら、特許文献１の仕切体では、例えば半分以上の商品が取り除かれた状態でも大きな占有面積を必要とする。また、最初から一部のみを販売する場合には、仕切体から取り出して専用の台に整理して陳列する必要がある。そのため、利便性が悪いという問題がある。
【０００８】
そこで、この特許文献１に記載の仕切体に、特許文献２に記載の切取線を設け、仕切体を分割可能に構成することが考えられる。しかしながら、稜部に分割操作用の操作部を設けた場合には、特に段ボール紙製の仕切体では、大きな操作力が必要になるうえ、内向きに窪んだ操作部に大きな操作力を加えることは極めて困難であるため、作業性が悪いという問題がある。
【発明の開示】
【発明が解決しようとする課題】
【０００９】
本発明は従来の問題に鑑みてなされたもので、使用上の利便性がよい仕切体を提供することを課題とするものである。
【課題を解決するための手段】
【００１０】
前記課題を解決するため、本発明の仕切体は、底板部と、該底板部の両側に位置する一対の側板部と、これら側板部の上端間に位置する天板部とを備え、該天板部に複数の位置決め孔を設けた仕切体であって、隣接する前記位置決め孔間に位置するように、前記各板部に連続して延びる破断部を設けるとともに、一方の側板部に、前記破断部に沿って延びる連続部を有する切起構造の差込部を、前記破断部を中心として略対称に位置するように一対設けた構成としている。
【発明の効果】
【００１１】
本発明の仕切体では、差込部に指を差し込むことにより、切起構造の内部の舌片を内部に押し込み、この状態で両側に開くように操作することにより、作業性よく破断部に沿って分割することができる。そのため、不要になった部分を分割して廃棄したり、小分けして一部のみを販売する際に、その分割した仕切体ごと陳列することが可能である。そのため、使用上の利便性を極めて向上することができる。
【発明を実施するための最良の形態】
【００１２】
以下、本発明の実施の形態を図面に従って説明する。
【００１３】
図１乃至図５は、本発明の実施形態に係る仕切体を示す。この仕切体は、底板部１０と、該底板部１０の両側に位置する一対の側板部１１，１５と、これら側板部１１，１５の上端間に位置する天板部１２とを備え、従来と同様に、図示しない商品を収容した状態で、外箱に収容させたり、表面を樹脂シートでラミネートして搬送し、例えば店頭にて商品を収容したままの状態で陳列販売する際に使用するものである。
【００１４】
この仕切体は、表紙および裏紙の間に波状の中しんを配設した周知の段ボール紙を、周知の紙器打抜装置（図示せず）によって図５（Ａ）に示す連続した一枚のブランクとして打ち抜き、所定部位を係止により結合して成形される。
【００１５】
この仕切体のブランクは、図５（Ａ）に示すように、矩形状をなす底板部１０と、第１側板部１１と、天板部１２とが横方向に順番に連続するように設けられている。また、底板部の左側端縁には内板部１３が連設されるとともに、天板部１２の右側端縁には外板部１４が連設されている。そして、これら内板部１３と外板部１４とは、重畳した組立状態で第２側板部１５を構成する。なお、底板部１０と天板部１２との間隔、即ち、第１側板部１１と第２側板部１５の幅は、収容する商品より小さく設定し、収容した商品の上部が天板部１２から突出するように構成している。
【００１６】
前記底板部１０と第１側板部１１との境界部分には、後述する折込部３６の形成位置を除き、肉厚を圧縮するように罫を入れて折曲線１６が設けられている。同様に、第１側板部１１と天板部１２との境界部分には、折込部３６の形成位置を除く部分に折曲線１７が設けられるとともに、一対の折込部３６，３６間に位置するように折曲線１７に沿って延びるように表裏紙にかけて切断した切断線１８が設けられている。また、底板部１０と内板部１３との境界部分には折曲線１９が設けられている。さらに、天板部１２と外板部１４との境界部分には、折曲線２０が設けられるとともに、該折曲線２０に沿って所定間隔をもって延びるように切断線２１が設けられている。
【００１７】
各板部１０〜１４のうち、天板部１２には、３行４列の配置で円形状をなす位置決め孔２２が設けられている。また、底板部１０には、第２側板部１５を構成する内板部１３と外板部１４とを重畳状態で結合するために、折曲線１９から該底板部１０内に向けて延びる矩形状の結合孔２３，２３が一対設けられている。さらに、外板部１４の先端縁には、結合孔２３，２３内を貫通するように折り曲げる略台形状の結合片２４が連設され、その境界部分に折曲線２５が設けられている。
【００１８】
そして、本実施形態では、幅（横）方向の中央に位置する第２列目と第３列目の位置決め孔２２，２２の列間で仕切体を２分割できるようにするために、各板部１０〜１４に連続して延びる破断部２６が設けられている。この破断部２６は、内板部１３の端縁から外板部１４の端縁間にかけて、複数の切断線２７を直線上に位置するように所定間隔をもって設けたものである。これにより、隣接する切断線２７，２７間には、表裏紙にかけて何ら切断していない連続状態の非切断部２８が形成されている。なお、複数列の位置決め孔２２において、破断部２６を設ける第２列目の位置決め孔２２と第３列目の位置決め孔２２との隙間２９ａは、他の列の隙間２９ｂ，２９ｃより広くなるように設定されている。これにより、仕切体を分割した後の枠幅を確保し、安定性を向上できるように構成している。
【００１９】
また、本実施形態の第１側板部１１には、破断部２６による破断作業を良好とするために、該破断部２６を中心として対称に位置する一対の差込部３０，３０が設けられている。これら差込部３０，３０は、図５（Ｂ）に示すように、破断部２６に沿って略平行に延びる折曲線３１を備えている。この折曲線３１の形成部分は連続部を構成するものであり、その上下端には、先端が破断部２６に向かうように円弧状に湾曲した切断線３２が設けられている。そして、この切断線３２には、破断部２６に向けて直線的に延びる切断線３３が設けられている。なお、この切断線３３は、中間部分に非切断部を設けた構成としている。これにより、折曲線３１、切断線３２、切断線３３および破断部２６とで囲繞された内部には、内向きに折込可能な切起構造の舌片３４が形成される。なお、本実施形態では、この舌片３４，３４は、破断部２６の側に打抜部３５を設けた構成としている。また、各差込部３０，３０は、その端部が破断部２６上に位置するように形成されている。これにより、一対の打抜部３５は、互いに連続した状態をなすように構成されている。また、打抜部３５を形成することによる舌片３４の先端縁３４ａは、作業者の指の曲面に沿うように折曲線３１に向けて円弧状に湾曲した形状に形成されている。
【００２０】
なお、本実施形態の仕切体は、第１側板部１１が１層構造をなし、対向する第２側板部１５が内板部１３と外板部１４とで２層構造をなす。そして、１層構造の第１側板部１１の圧縮強度、そして、水平配置される底板部１０および天板部１２に対して垂直に延びる組立状態を維持するために、第１側板部１１には、一対の折込部３６，３６が設けられている。この折込部３６，３６は、位置決め孔２２において、第１列目の位置決め孔２２と第２列目の位置決め孔２２との隙間２９ｂ、および、第３列目の位置決め孔２２と第４列目の位置決め孔２２との隙間２９ｃに対応するように形成したリード罫３７を備えている。このリード罫３７は、肉厚を圧縮するように罫を入れて形成した折曲線と、該折曲線上に所定間隔をもって設けた切断線とからなるものである。そして、このリード罫３７の上下端には、折曲線１６および折曲線１７に沿って外向きに延びる切断線３８，３８が設けられ、これら切断線３８，３８の先端間に切断線３９が設けられている。なお、切断線３８と切断線３９の連続部分は、折込作業性を向上させるために、略４５度傾斜角で傾斜して延びる面取り構造をなすように構成している。
【００２１】
このように構成した仕切体は、図１に示すように、底板部１０に対して第１側板部１１および内板部１３を折り曲げた後、第１側板部１１に対して天板部１２を折り曲げるとともに、この天板部１２に対して外板部１４を折り曲げる。そして、外板部１４に対して結合片２４を折り曲げ、結合孔２３に貫通させる。これにより、内板部１３と外板部１４とを内外に重畳させた第２側板部１５が形成される。
【００２２】
ついで、図２に示すように、第１側板部１１に対して折込部３６を押し込むことにより内部に折り込み、隙間２９ｂ，２９ｃに沿って延びるように配置する。これにより、１層構造をなす第１側板部１１の圧縮強度を向上できるとともに、第１側板部１１の上下に位置する稜部で歪みを生じさせることなく、組立状態を維持できる。
【００２３】
この状態で、例えば手作業で各位置決め孔２２に商品を収容させた後、外箱に収容させたり、樹脂シートで表面をラミネートさせたりして、所定の販売店に発送する。そして、販売店では、商品を仕切体に収容させたままの状態で陳列して販売し、半分以上の商品がなくなると、仕切体の不要部分を分割して廃棄する。または、販売スペース等の条件により予め仕切体を分割した状態で陳列して販売する。
【００２４】
この仕切体を分割する場合には、まず、図３に示すように、一対の差込部３０，３０の舌片３４を指を当てて内向きに押し込む。そして、広く開口した差込部３０に指を挿入し、水平方向外向きに開くように操作する。これにより、図４に示すように、破断部２６を構成する切断線２７，２７間の非切断部２８を引き裂くように破断し、反対側に位置する第２側板部１５の破断部２６を中心として、破断部２６に沿って仕切体を２分割することができる。
【００２５】
ここで、この分割作業時には、第１側板部１１に操作用の差込部３０，３０を設けているため、大きな操作力を容易に加えることができる。また、差込部３０を完全に打ち抜いた孔ではなく、舌片３４を有する構成としているため、指を差し込んで開く際に、段ボール紙の切断縁が当接しないため、作業者に不快感（痛み）を与えることはない。
【００２６】
このように、本発明の仕切体は、破断部２６に沿って２分割できるように構成しているため、不要になった部分を分割して廃棄したり、小分けして一部のみを販売したりすることが可能であり、使用上の利便性を極めて向上することができる。また、商品の収容状態では、天板部１２から商品が上方に突出するように構成しているため、商品を取り出し易く、販売促進効果も得ることができる。しかも、本実施形態では、１層構造をなす第１側板部１１に折込部３６を設けているため、圧縮強度を向上できるとともに、組立状態を確実に維持できる。
【００２７】
なお、本発明の仕切体は、前記実施形態の構成に限定されるものではなく、種々の変更が可能である。
【００２８】
例えば、前記実施形態では、差込部３０の舌片３４に打抜部３５を設けたが、この打抜部３５は設けない構成としてもよい。
【００２９】
また、各差込部３０，３０は、その端部が破断部２６上に位置するように形成したが、破断部２６から所定間隔をもって離間した位置に対称に設けてもよい。
【００３０】
さらに、前記実施形態では、破断部２６を仕切体の中央に位置するように設けたが、一側に偏った位置に設けてもよい。勿論、２以上の破断部２６を設け、３以上に分割可能としてもよい。
【００３１】
そして、前記実施形態では、各板部１０〜１２，１５が側面視矩形状をなすように形成したが、各稜部に傾斜して延びる面取り板部を設け、該面取り板部を介して各板部１０〜１２，１５が連続するように構成してもよい。
【図面の簡単な説明】
【００３２】
【図１】本発明の実施形態に係る仕切体を示す斜視図である。
【図２】仕切体の使用状態を示す斜視図である。
【図３】仕切体を分割する際の一工程を示す斜視図である。
【図４】仕切体を分割した状態を示す斜視図である。
【図５】（Ａ）は仕切体のブランクを示す平面図、（Ｂ）は（Ａ）の一部拡大平面図である。
【符号の説明】
【００３３】
１０…底板部
１１…第１側板部
１２…天板部
１５…第２側板部
２２…位置決め孔
２６…破断部
３０…差込部
３１…折曲線（連続部）
３４…舌片
【図１】
2009107640.tif 000003
【図２】
2009107640.tif 000004
【図３】
2009107640.tif 000005
【図４】
2009107640.tif 000006
【図５】
2009107640.tif 000007